(57)【特許請求の範囲】
【請求項１】
スイッチング素子のオン／オフにより放電灯に供給する電力を調節するチョッパ回路と、第１のランプ電流ピーク値と第１のランプ電流ピーク値よりも高い第２のランプ電流ピーク値とを所定の間隔で交互に出力するようにチョッパ回路を制御する制御部とを備える放電灯点灯装置において、ランプ電圧を検出するランプ電圧検出部と、放電灯のちらつきを検出するちらつき検出部のうち少なくとも一方を備え、前記制御部は、ランプ電圧検出部での検出値が所定値以上の場合、または、ちらつき検出部がちらつきを検出した場合に第１のランプ電流ピーク値を最低限必要な電極温度を維持できる所定電流値以上に増加させ、第２のランプ電流ピーク値を減少させることを特徴とする放電灯点灯装置。
【請求項２】
請求項１記載の放電灯点灯装置と、該放電灯点灯装置により点灯される放電灯と、この放電灯からの光を透過または反射する画像表示手段と、画像表示手段を介する透過光または反射光をスクリーンに投射する光学系を備えたことを特徴とする画像表示装置。
【発明の詳細な説明】
【技術分野】
【０００１】
本発明は放電灯点灯装置及びこれを用いた画像表示装置に関し、特に、ランプのちらつき低減に関するものである。
【背景技術】
【０００２】
近年、プロジェクタやリアプロジェクションテレビで使用される高輝度高圧放電ランプにおいて、輝点の移動によるちらつき（フリッカ）の無いものが要求されている。例えば、図９（ａ）〜（ｅ）のように、所定の周期で第１のランプ電流ピーク値Ｉｐ１よりも第２のランプ電流ピーク値Ｉｐ２を高くさせるようにランプの点灯波形を制御することにより、輝点の移動によるちらつきを抑制することが提案されている。これはランプ電流ピーク値を一時的に上昇させることで電極の温度を上昇させ、輝点の位置を安定させたり、電極の荒れた箇所を溶融し、複数の突起を生成させないようにするものである。
【０００３】
第１のランプ電流ピーク値Ｉｐ１と第２のランプ電流ピーク値Ｉｐ２の変化のさせ方は２通りあって、図１０（Ａ）のように、第２のランプ電流ピーク値Ｉｐ２を一定にし、第１のランプ電流ピーク値Ｉｐ１はランプ電流の実効値が所定の値になるように変化させるものと、図１０（Ｂ）のように、第１のランプ電流ピーク値Ｉｐ１と第２のランプ電流ピーク値Ｉｐ２の割合を一定にするものとがある。
【０００４】
特開２００５−３８８１５号公報（特許文献１）には、安定点灯時に放電ランプに定電力が供給される定電力モードによる点灯中に、ちらつき（フリッカ）を検出したときに、定電力モードで供給する電力よりも大きい電力を供給できる高電力モードを選択可能とした点灯装置が開示されているが、特許文献１の高電力モードは、第２のランプ電流ピーク値Ｉｐ２を増加させるものであって、第１のランプ電流ピーク値Ｉｐ１を増加させるものではない。
【特許文献１】特開２００５−３８８１５号公報
【発明の開示】
【発明が解決しようとする課題】
【０００５】
高輝度高圧放電ランプは、点灯時間が累積されていくとランプ電圧が上昇していく傾向があり、ランプに投入する電力を一定値にする一般的な電力制御方式では、ランプ電圧の上昇に伴いランプ電流（実効値）は減少していく。ランプに流す電流の時間は、図９（ａ）〜（ｅ）に示されるように、第２のランプ電流ピーク値Ｉｐ２の時間より第１のランプ電流ピーク値Ｉｐ１の時間の方が長いため、第１のランプ電流ピーク値Ｉｐ１の方が第２のランプ電流ピーク値Ｉｐ２より電極温度への影響度合が大きい。つまり、電極温度は第１のランプ電流ピーク値Ｉｐ１での温度が基準となり、第２のランプ電流ピーク値Ｉｐ２で温度を上昇させている。ランプ電流の実効値より低い電流値である第１のランプ電流ピーク値Ｉｐ１はランプ電圧の上昇にともない減少していく。これにより、基準となる電極温度が減少していくため、電極の最適な温度の維持が困難となってくる。そのため、ちらつきが発生する可能性が大きくなる。
【０００６】
本発明は上述のような点に鑑みてなされたものであり、ランプ電流ピーク値を所定の間隔で増減させるようにチョッパ回路を制御する放電灯点灯装置において、電極の温度を維持できるようにして、ランプのちらつきを低減することを課題とする。
【課題を解決するための手段】
【０００７】
請求項１の発明によれば、上記の課題を解決するために、図１または図５に示すように、スイッチング素子Ｑ１のオン／オフにより放電灯Ｌａに供給する電力を調節するチョッパ回路１と、第１のランプ電流ピーク値Ｉｐ１と第１のランプ電流ピーク値Ｉｐ１よりも高い第２のランプ電流ピーク値Ｉｐ２とを所定の間隔で交互に出力するようにチョッパ回路１を制御する制御部２とを備える放電灯点灯装置において、ランプ電圧を検出するランプ電圧検出部３と、放電灯Ｌａのちらつきを検出するちらつき検出部４のうち少なくとも一方を備え、前記制御部２は、図４に示すように、ランプ電圧検出部３での検出値が所定値Ｖｃ以上の場合、または、図７に示すように、ちらつき検出部４がちらつき（フリッカ）を検出した場合に第１のランプ電流ピーク値Ｉｐ１を最低限必要な電極温度を維持できる所定電流値以上に増加させ、第２のランプ電流ピーク値Ｉｐ２を減少させることを特徴とするものである。
【０００９】
請求項２の発明は画像表示装置に関するものであり、請求項１記載の放電灯点灯装置と、該放電灯点灯装置により点灯される放電灯と、この放電灯からの光を透過または反射する画像表示手段と、画像表示手段を介する透過光または反射光をスクリーンに投射する光学系を備えたことを特徴とする。
【発明の効果】
【００１０】
請求項１の発明によれば、ランプ電圧検出部での検出値が所定値以上の場合、または、ちらつき検出部がちらつきを検出した場合に第１のランプ電流ピーク値を最低限必要な電極温度を維持できる所定電流値以上に増加させることにより、ちらつきを低減させることができる。また、第１のランプ電流ピーク値を増加させた場合に第２のランプ電流ピーク値を減少させることにより、ランプ電力の増加による光出力の変化を防ぐことができ、一定した光出力を得ることができる。
【００１２】
請求項２の発明によれば、ちらつきの発生がほとんどない安定した明るさの画像表示装置を提供できる。
【発明を実施するための最良の形態】
【００１３】
（実施の形態１）
図１は本発明の実施の形態１の回路図である。以下、図１の回路構成について説明する。直流電源Ｅの正極はスイッチング素子Ｑ１、インダクタＬ１を介してコンデンサＣ１の正極に接続されており、コンデンサＣ１の負極は電流検出用の抵抗Ｒ１を介して直流電源Ｅの負極に接続されている。コンデンサＣ１の負極には回生電流通電用のダイオードＤ１のアノードが接続されており、ダイオードＤ１のカソードはスイッチング素子Ｑ１とインダクタＬ１の接続点に接続されている。以上により降圧チョッパ回路１が構成されている。
【００１４】
降圧チョッパ回路１のスイッチング素子Ｑ１は、制御部２に設けられたＰＷＭ制御回路５の出力により高周波でオン・オフ駆動され、スイッチング素子Ｑ１がオンのとき、直流電源Ｅからスイッチング素子Ｑ１、インダクタＬ１、コンデンサＣ１、抵抗Ｒ１を介して電流が流れ、スイッチング素子Ｑ１がオフのとき、インダクタＬ１、コンデンサＣ１、ダイオードＤ１を介して回生電流が流れる。これにより、直流電源Ｅの直流電圧を降圧した直流電圧がコンデンサＣ１に充電される。スイッチング素子Ｑ１がオンのとき、インダクタＬ１に流れるチョッパ電流は抵抗Ｒ１により検出され、ＰＷＭ制御回路５に入力されており、所定の電流値に達すると、スイッチング素子Ｑ１がオフするように制御される。ＰＷＭ制御回路５によりスイッチング素子Ｑ１のオン・デューティ（一周期に占めるオン時間の割合）を変えることにより、コンデンサＣ１に得られる電圧を可変制御できる。
【００１５】
直流電源Ｅは例えば商用交流電源を整流・平滑した直流電圧であり、例えば、全波整流回路の出力に接続された昇圧チョッパ回路（図示せず）の出力電圧であっても良い。
【００１６】
コンデンサＣ１の両端には、スイッチング素子Ｑ２，Ｑ３の直列回路と、スイッチング素子Ｑ４，Ｑ５の直列回路が並列に接続されている。スイッチング素子Ｑ２，Ｑ３はドライブ回路６ａにより高周波または低周波で交互にオン・オフ駆動され、スイッチング素子Ｑ４，Ｑ５はドライブ回路６ｂにより高周波または低周波で交互にオン・オフ駆動される。ドライブ回路６ａ，６ｂはＩＲ社製造のＩＲ２１１１などが用いられ、フルブリッジ制御部７によりスイッチング素子Ｑ２，Ｑ５がオン、スイッチング素子Ｑ３，Ｑ４がオフの状態と、スイッチング素子Ｑ２，Ｑ５がオフ、スイッチング素子Ｑ３，Ｑ４がオンの状態とが高周波（数十ｋＨｚ〜百数十ｋＨｚ）または低周波（数Ｈｚ〜数百Ｈｚ）で交番するように制御される。以上によりフルブリッジ型のインバータ回路（極性反転回路）を構成している。
【００１７】
次に、負荷回路について説明する。スイッチング素子Ｑ２，Ｑ３の接続点にはインダクタＬ２の一端が接続されており、インダクタＬ２の他端には放電ランプＬａの一端が接続されている。放電ランプＬａの他端はスイッチング素子Ｑ４，Ｑ５の接続点に接続されている。放電ランプＬａは高輝度高圧放電灯（ＨＩＤランプ）である。放電ランプＬａの両端にはコンデンサＣ２が並列接続されている。インダクタＬ２とコンデンサＣ２は共振回路を構成している。高周波動作期間（始動時）には、共振回路の共振作用により高周波の高電圧が得られて放電ランプＬａを絶縁破壊すると共に、グロー放電からアーク放電へ移行させるためのエネルギーを供給する（なお、放電ランプＬａの絶縁破壊のために別設のイグナイタ回路（図示せず）により高電圧パルスを印加するように構成しても良い）。低周波動作期間（定常点灯時）には、コンデンサＣ１の電圧が低周波で極性反転しながら放電ランプＬａに印加される。
【００１８】
コンデンサＣ１の電圧は抵抗Ｒ２，Ｒ３により分圧されて、ランプ電圧Ｖｌａの検出値としてマイコン８のＡ／Ｄ変換入力ポート８ａに取り込まれる。これによりランプ電圧検出部３を構成している。
【００１９】
次に、制御部２の構成について説明する。制御部２は、降圧チョッパ回路１のスイッチング素子Ｑ１を制御するためのＰＷＭ制御回路５と、フルブリッジ型のインバータ回路のスイッチング素子Ｑ２〜Ｑ５を制御するためのフルブリッジ制御部７と、これらを制御するマイコン８を備える。マイコン８としては、例えばルネサス製のＭ３７５４０やＭ３７５４２などを用いる。
【００２０】
マイコン８のＡ／Ｄ変換入力ポート８ａには、ランプ電圧Ｖｌａの検出値が入力されている。抵抗Ｒ４とコンデンサＣ３よりなる第１のＲＣフィルタ回路が接続されたマイコンの２値出力ポートには、デューティ可変の矩形波電圧信号（ＰＷＭ１）が出力されている。このデューティ可変の矩形波電圧信号（ＰＷＭ１）を抵抗Ｒ４とコンデンサＣ３よりなるＲＣフィルタ回路により直流電圧に平滑化することにより、ＰＷＭ制御回路５に与えるチョッパ制御基準電圧Ｉｐｒｅｆ１を生成している。
【００２１】
また、抵抗Ｒ５とコンデンサＣ４よりなる第２のＲＣフィルタ回路が接続されたマイコンの２値出力ポートには、デューティ可変の矩形波電圧信号（ＰＷＭ２）が出力されている。このデューティ可変の矩形波電圧信号（ＰＷＭ２）を抵抗Ｒ５とコンデンサＣ４よりなるＲＣフィルタ回路により直流電圧に平滑化することにより、ＰＷＭ制御回路５に与えるチョッパ制御基準電圧Ｉｐｒｅｆ２を生成している。
【００２２】
また、第１のランプ電流ピーク値Ｉｐ１と第２のランプ電流ピーク値Ｉｐ２を切り替えるタイミングをマイコン８で制御しており、切替信号Ｓ１によりスイッチＳＷ１をａ側かｂ側へ切り替えることで、ＰＷＭ制御回路５で比較するチョッパ制御基準電圧（Ｉｐｒｅｆ１もしくはＩｐｒｅｆ２）を切り替えて、ランプ電流ピーク値を決定している。そして、ＰＷＭ制御回路５にて、抵抗Ｒ１で検出したチョッパ電流検出電圧とチョッパ制御基準電圧（Ｉｐｒｅｆ１もしくはＩｐｒｅ２）によりチョッパ用のスイッチング素子Ｑ１のオン／オフ制御を行い、ランプ電流ピーク値を制御する。スイッチＳＷ１としては、ＭＯＳ−ＦＥＴやトランジスタやアナログスイッチを用いる。
【００２３】
安定点灯時（低周波動作期間）において、マイコン８はランプ電圧Ｖｌａの検出値に応じて、コンデンサＣ１の電圧が最適化されるように降圧チョッパ回路１を制御している。また、始動時（高周波動作期間）においては、放電ランプＬａの絶縁破壊が可能となり、その後、所定の高周波電流が流れるようなコンデンサＣ１の電圧となるように、降圧チョッパ回路１を制御している。
【００２４】
マイコン８の出力ポートＦＢ１，ＦＢ２からはフルブリッジ制御部７に対してフルブリッジ制御信号が出力されており、これによりインバータ回路を高周波動作（始動時）または低周波動作（安定点灯時）に切り替えることができる。安定点灯時のランプ電流波形は、例えば、図９（ａ）または（ｃ）または（ｄ）のような波形とすれば良い。
【００２５】
本実施の形態では、図２、図３に示すように、ランプ電圧検出部３での検出値が所定値Ｖｃ以上の場合に、第１のランプ電流ピーク値Ｉｐ１を所定電流値以上に増加させるように制御することを特徴とする。このように制御すれば、ランプ電圧が上昇することによりランプ電流が減少し、電極温度が低い状態になることを回避し、最低限必要な電極温度を維持することが可能となるから、ちらつきを低減させることができる。
【００２６】
ここで言うランプ電圧の所定値Ｖｃとは、第２のランプ電流ピーク値Ｉｐ２を発生させるときのランプ電圧値Ｖｂより高く、各種ランプにおいてちらつきが発生しない第１のランプ電流ピーク値Ｉｐ１の下限値（ちらつきが発生しない電極温度の下限値）となるときのランプ電圧値以下の値である。
【００２７】
また、第１のランプ電流ピーク値Ｉｐ１の最低限必要な電極温度を維持できる所定電流値というのは、図１０で示すような従来の第１のランプ電流ピーク値（図２、図３の破線）より高い値であり、図２のように電流値を一定値にしても良いし、図３のように従来のランプ電流ピーク値より高い値で、ランプ電圧の上昇にともなってランプ電流ピーク値Ｉｐ１を変化させても良く、様々な（メーカー，電力等の）ランプに適したランプ電流ピーク値にする。
【００２８】
ランプ電流ピーク値Ｉｐ１，Ｉｐ２の制御は、ランプ電圧検出部３で検出した電圧値に応じた第１のランプ電流ピーク値Ｉｐ１にするための矩形波電圧信号ＰＷＭ１と、第２のランプ電流ピーク値Ｉｐ２にするための矩形波電圧信号ＰＷＭ２をマイコン８から出力し、ＲＣフィルタ回路を用いてＤＣ電圧変換することで、チョッパ制御基準電圧Ｉｐｒｅｆ１とチョッパ制御基準電圧Ｉｐｒｅｆ２を得ることで制御することができる。
【００２９】
なお、マイコン８にはあらかじめ図２または図３に示す制御特性となるように、ランプ電圧Ｖｌａの検出値Ｖ１，Ｖ２，Ｖ３，…，Ｖｘに対応した第１のランプ電流ピーク値Ｉｐ１と第２のランプ電流ピーク値Ｉｐ２にするためのＰＷＭ信号設定データがメモリ上のデータテーブル８ｂとして格納されている。また、他の手段として、ランプ電圧の検出値に応じてマイコンの演算機能により図２または図３のＩｐ１，Ｉｐ２を算出するようにしても良く、その場合、メモリの容量を節約できる。
【００３０】
（実施の形態１’）
また、図４に示すように、ランプ電圧検出部３での検出値が所定値Ｖｃ以上の場合に第１のランプ電流ピーク値Ｉｐ１を最低限必要な電極温度を維持できる所定電流値以上に増加させると共に、第２のランプ電流ピーク値Ｉｐ２を従来のランプ電流ピーク値（破線）より減少させるように制御すれば、出力電力の変化を抑制でき、光出力を一定化できる。
【００３１】
ここで言う第２のランプ電流ピーク値Ｉｐ２の減少度合いというのは、図４で示すように、第１のランプ電流ピーク値Ｉｐ１と第２のランプ電流ピーク値Ｉｐ２により決定されるランプ電力が、電力値が一定となる制御を開始するランプ電圧値Ｖａ以上において、電力が一定値となるようなランプ電流ピーク値となるように設定する。当然この値は従来の第２のランプ電流ピーク値（破線）よりも低い値となる。
【００３２】
（実施の形態２）
図５は本発明の実施の形態２の回路図である。図１の回路と比較すると、受光素子ＰＤ１とランプ光検出回路４ａ、Ａ／Ｄ変換入力ポート８ｃ、ちらつき判別部８ｄよりなるちらつき検出部４が追加されており、ちらつきの有／無に応じてマイコン８内のテーブルデータ８ｅが２通り用意されている点が異なる。受光素子ＰＤ１は放電ランプＬａの出力光を検出できる位置に設けられ、例えばフォトダイオードやフォトトランジスタを用いる。ランプ光検出回路４ａは受光素子ＰＤ１により光電変換された信号をアナログ信号として増幅し、マイコン８のＡ／Ｄ変換入力ポート８ｃに入力する。Ａ／Ｄ変換入力ポート８ｃは所定の間隔で放電ランプＬａの出力光を取り込んでデジタル値に変換し、そのデジタル値の変動をちらつき判別部８ｄにて監視することにより、ちらつきの有／無を判別する。以上により「ちらつき検出部４」が構成されている。
【００３３】
本実施の形態では、ちらつき検出部４でちらつき（フリッカ）を検出した場合に、図６に示すように、第１のランプ電流ピークの値Ｉｐ１を所定の値Ｉｐ１’に増加させるように制御することを特徴とする。このように制御することで、電極温度が不安定な状態となることを防止でき、最低限必要な電極温度を維持することが可能となるから、ちらつきを低減させることができる。
【００３４】
ここで言う第１のランプ電流ピーク値の所定の値Ｉｐ１’というのは、図１０で示すような従来の第１のランプ電流ピーク値Ｉｐ１よりも高い値であり、様々な（メーカー，電力等の）ランプに対応して、各ランプ電圧に適したランプ電流ピーク値にする。
【００３５】
また、第１のランプ電流ピーク値をＩｐ１’からＩｐ１に戻す条件としては、ちらつき検出後、ランプ電流ピーク値をＩｐ１’に変更してからの経過時間によりランプ電流ピーク値Ｉｐ１に戻しても良いし、ちらつき検出後にランプ電流ピーク値をＩｐ１’に変更してから周期的にちらつき検出動作を行い、ちらつきが発生していない場合にランプ電流ピーク値をＩｐ１に戻しても良い。また、周期的にちらつき検出動作を行い、その度ごとにランプ電流ピーク値Ｉｐ１もしくはＩｐ１’を選択するようにしても良い。
【００３６】
ランプ電流ピーク値の制御は、次のように行う。ランプ電圧検出部３で検出した電圧値に応じて第１のランプ電流ピーク値Ｉｐ１と第２のランプ電流ピーク値Ｉｐ２を設定するために、実施の形態１と同様に、ランプ電圧Ｖｌａの検出値Ｖ１，Ｖ２，Ｖ３，…，Ｖｘに対応させた第１のランプ電流ピーク値のＰＷＭ信号データと第２のランプ電流ピーク値のＰＷＭ信号データをマイコン８内にデータテーブル８ｅとして格納しておく。第１のランプ電流ピーク値のＰＷＭ信号データは、従来のランプ電流ピーク値のＰＷＭ信号データＩｐ１と、それより高いランプ電流ピーク値となるＰＷＭ信号データＩｐ１’であり、第２のランプ電流ピーク値のＰＷＭ信号データは、ＰＷＭ信号データＩｐ２である。
【００３７】
ここで、第１のランプ電流ピーク値となるＰＷＭ信号データＩｐ１またはＩｐ１’は次のように選択する。フォトダイオードＰＤ１とランプ光検出回路４ａによりランプＬａの光出力を電圧変換し、その電圧値Ｖｄの時間的な変化により、ちらつきの発生／未発生を判別する。ちらつきが発生していない場合はＰＷＭ信号データＩｐ１を選択し、ちらつきが発生している場合はＰＷＭ信号データＩｐ１’を選択する。
【００３８】
そして、ＲＣフィルタ（Ｒ４，Ｃ３とＲ５，Ｃ４）でチョッパ制御基準電圧Ｉｐｒｅｆ１とチョッパ制御基準電圧Ｉｐｒｅｆ２にＤＣ電圧変換を行う。また、第１のランプ電流ピーク値と第２のランプ電流ピーク値を切り替えるタイミングをマイコン８で制御しており、切替信号Ｓ１によりスイッチＳＷ１をａ側かｂ側へ切り替えることで、ＰＷＭ制御回路５で比較するチョッパ制御基準電圧（Ｉｐｒｅｆ１もしくはＩｐｒｅｆ２）を切り替え、ランプ電流ピーク値を決定している。ＰＷＭ制御回路５にて、抵抗Ｒ１で検出したチョッパ電流検出電圧とチョッパ制御基準電圧（Ｉｐｒｅｆ１もしくはＩｐｒｅｆ２）を比較することによりチョッパ回路１のスイッチング素子Ｑ１のオン／オフ制御を行い、ランプ電流ピーク値を制御する。
【００３９】
（実施の形態２’）
また、図７に示すように、ちらつき検出部４でちらつきを検出した場合に、第１のランプ電流ピーク値Ｉｐ１を所定の値Ｉｐ１’に増加させ、それと同時に第２のランプ電流ピーク値Ｉｐ２を所定の値Ｉｐ２’に減少させるように制御すれば、ランプ電力の変化を抑制でき、光出力を一定化できる。
【００４０】
ここで言う第２のランプ電流ピーク値の減少度合いというのは、図７で示すように、第１のランプ電流ピーク値Ｉｐ１’と第２のランプ電流ピーク値Ｉｐ２’により決定されるランプ電力が、電力値が一定となる制御を開始するランプ電圧値Ｖａ以上において、電力が一定値となるようなランプ電流ピーク値のことである。当然この値は従来の第２のランプ電流ピーク値Ｉｐ２（破線）より低い値となる。
【００４１】
図７に示すランプ電流ピーク値の制御を実施する場合には、マイコン８のデータテーブル８ｅに第２のランプ電流ピーク値データとしてＰＷＭ設定データＩｐ２’を追加し、ちらつきが発生していない場合はＰＷＭ信号データＩｐ１，Ｉｐ２を選択し、ちらつきが発生している場合はＰＷＭ信号データＩｐ１’，Ｉｐ２’を選択すれば良い。
【００４２】
上述の説明では、チョッパ回路１が降圧チョッパ回路である場合について説明したが、入力電圧変動幅など設計条件によっては、降圧チョッパ回路でなく、昇圧チョッパ回路や昇降圧チョッパ回路を用いる場合もある。そのような場合にも、本発明を適用できることは言うまでもない。また、チョッパ回路１と放電灯Ｌａの間に設けたインバータ回路（極性反転回路）を省略し、図９（ｅ）のような直流点灯方式とした場合でも本発明を適用できる。
【００４３】
（実施の形態３）
上述の各実施の形態の放電灯点灯装置は、プロジェクタやリアプロジェクションテレビのような画像表示装置の光源となる放電灯の点灯に用いられる。ここでは、プロジェクタに実装する場合を例示する。図８は画像表示装置３０の内部構成を示す概略構成図である。図中、３１は投光窓、３２は電源部、３３ａ，３３ｂ，３３ｃは冷却用ファン、３４は外部信号入力部、３５は光学系、３６はメイン制御基板、４０は放電灯点灯装置、Ｌａは放電灯である。破線で示した枠内にメイン制御基板３６が実装されている。光学系３５の途中には、放電灯Ｌａからの光を透過または反射する画像表示手段（透過型液晶表示板または反射型画像表示素子）が設けられており、この画像表示手段を介する透過光または反射光をスクリーンに投射するように光学系３５が設計されている。このように、放電灯点灯装置４０は放電灯Ｌａと共に画像表示装置３０の内部に実装されているが、本発明の放電灯点灯装置４０を採用することにより、ちらつきの発生がほとんどない安定した明るさの画像表示装置が提供できる。
【図面の簡単な説明】
【００４４】
【図１】本発明の実施の形態１の回路図である。
【図２】本発明の実施の形態１の１つの制御例を示す説明図である。
【図３】本発明の実施の形態１の他の制御例を示す説明図である。
【図４】本発明の実施の形態１のさらに他の制御例を示す説明図である。
【図５】本発明の実施の形態２の回路図である。
【図６】本発明の実施の形態２の１つの制御例を示す説明図である。
【図７】本発明の実施の形態２の他の制御例を示す説明図である。
【図８】本発明の実施の形態３の画像表示装置の内部構成の概略を示す説明図である。
【図９】従来例のランプ電流の波形図である。
【図１０】従来例の制御例を示す説明図である。
【符号の説明】
【００４５】
Ｑ１  スイッチング素子
Ｌａ  放電灯
１    チョッパ回路
２    制御部
３    ランプ電圧検出部
４    ちらつき検出部
【図１】
0004775003.tif 000002
【図２】
0004775003.tif 000003
【図３】
0004775003.tif 000004
【図４】
0004775003.tif 000005
【図５】
0004775003.tif 000006
【図６】
0004775003.tif 000007
【図７】
0004775003.tif 000008
【図８】
0004775003.tif 000009
【図９】
0004775003.tif 000010
【図１０】
0004775003.tif 000011